(57)【要約】【課題】複数の放熱フィンを組合式ラジエータに組合することが可能になり、且つ流れ生産ラインで一気に生産できる放熱フィン接合構造を提供する。【解決手段】放熱フィン接合構造は、一つのフィンと、複数の係合具と、複数の組付壁とを含む放熱フィン接合構造において、係合具はフィンの両側縁に成形され、組付壁はフィンの両側縁に成形され、一定の隙間を残った状態で前記係合具に隣接する。【選択図】図3
0003123962.tif 000002
【実用新案登録請求の範囲】
【請求項１】
一つのフィンと、複数の係合具と、複数の組付壁とを含む放熱フィン接合構造において、
前記係合具は、前記フィンの両側縁に成形され、
前記組付壁は、前記フィンの両側縁に成形され、一定の隙間を残った状態で前記係合具に隣接することを特徴とする、放熱フィン接合構造。
【請求項２】
複数の係合具のうちの一つは前記フィンの一側縁に成形され、残った二つの係合具は前記フィンの前記側縁の反対側に成形されることを特徴とする、請求項にて記載の放熱フィン接合構造。
【請求項３】
前記係合具は、更に、前記フィンの側縁に成形された組付ネックと、前記組付ネックに対称に成形され、両端が前記フィンの組付方向にやや湾接された二つの係合部と、前記二つの係合部の間に成形された挟止凹部とを含むことを特徴とする、請求項2に記載の放熱フィン接合構造。
【請求項４】
係合具は、複数あり、フィンの両側に位置し、一つの係合部を含み、前記係合部は、組付壁と組付隙間の隣接する側辺に成形され、前記組付隙間に伸び、その尾端が組付方向にやや湾折されたことを特徴とする、請求項1に記載の放熱フィン接合構造。
【請求項５】
係合具は、複数あり、一つの組付穴と一つの係りブロックとをそれぞれ含み、前記組付穴は、係合具の中央に開設され、ややY字形を呈し、なお、前記係りブロックは放熟フィンの組付方向に突出したことを特徴とする、請求項1に記載の放熱フィン接合構造。
【考案の詳細な説明】
【技術分野】
【０００１】
本考案は、コンピュータのCPUのラジエータに係り、特に、コンピュータのCPUのラジエータに適用される放熱フィン接合構造に関するものである。
【背景技術】
【０００２】
CPUを放熱するためにラジエータが開発され、図1に示すのは従来のアルミ押出しラジエータであり、そのラジエータは、体積がより大きいので、小型化を強烈に要求される現代の電子製品には不向きである。
【０００３】
図2に示すのは従来のアルミ湾折ラジエータであり、そのラジエータは、体積がより小さくなるが、外形の変化性が少ないので、設計は困難である。
【０００４】
だから、従来の組合式ラジエータが開発され、そのラジエータは複数の放熱フィンをリベットで接合したものであり、放熱フィンは必要な形状に切断することができるので、必要な形状に切断された複数の放熱フィンをリベット継ぎしたと、外形の変化性を有するラジエータが得られる。しかしながら、従来の組合式ラジエータは流れ生産ラインで一気に生産できなく、生産性は良くないので、生産コストが高くなる。
【考案の開示】
【考案が解決しようとする課題】
【０００５】
本考案の主な目的は、複数の放熱フィンを組合式ラジエータに組合することが可能になる放熱フィン接合構造を提供する。
【０００６】
本考案の次の目的は、流れ生産ラインで一気に生産できる放熱フィン接合構造を提供する。
【課題を解決するための手段】
【０００７】
上記目的を達成するためになされた本願の考案は、一つのフィンと、複数の係合具と、複数の組付壁とを含む放熱フィン接合構造において、前記係合具は、前記フィンの両側縁に成形され、前記組付壁は、前記フィンの両側縁に成形され、一定の隙間を残った状態で前記係合具に隣接することを特徴とする放熱フィン接含構造であることを要旨としている。
【０００８】
本願の考案では、複数の係合具のうちの一つは前記フィンの一側縁に成形され、残った二つの係合具は前記フィンの前記側縁の反対側に成形されることを特徴とする請求項1に記載の放熱フィン接合構造であることを要旨としている。
【０００９】
本願の考案では、前記係合具は、更に、前記フィンの側縁に成形された組付ネックと、前記組付ネックに対称に成形され、両端が前記フィンの組付方向にやや湾接された二つの係合部と、前記二つの係合部の間に成形された挟止凹部とを含むことを特徴とする請求項2に記載の放熱フィン接合構造であることを要旨としている。
【００１０】
本願の考案では、係合具は、複数あり、フィンの両側に位置し、一つの係合部を含み、前記係合部は、組付壁と組付隙間の隣接する側辺に成形され、前記組付隙間に伸び、その尾端が組付方向にやや湾折されたことを特徴とする請求項1に記載の放熱フィン接合構造であることを要旨としている。
【００１１】
本願の考案では、係合具は、複数あり、一つの組付穴と一つの係りブロックとをそれぞれ含み、前記組付穴は、係合具の中央に開設され、ややY字形を呈し、なお、前記係リブロックは放熱フィンの組付方向に突出したことを特徴とする講求項1に記載の放熱フィン接合構造であることを要旨としている。
【考案の効果】
【００１２】
本考案に係る放熱フィン接合構造によれぱ、複数の放熱フィンを組合式ラジエータに組合することが可能になり、且つ流れ生産ラインで一気に生産できる効果がある。
【考案を実施するための最良の形態】
【００１３】
以下、添付図面を参照して本考案の好適な実施の形態を詳細に説明する。
【００１４】
まず、図3を参照する。図3に示すのは本考案に係る放熱フィン接合構造の実施例であって、一つのフィン1と、複数の係合具2と、複数の組付壁3とを含む。
【００１５】
図3に示すように、前記フィン１の一側縁には一つの係合具2が成形され、前記側縁の反対側には二つの係合具2が成形され、前記係合具2は、前記フィン１の側縁に成形された組付ネック21と、前記組付ネック21に対称に成形され、両端が前記フィン1の組付方向にやや湾接された二つの係合部22と、前記二つの係合部22の間に成形された挟止凹部23とを含む。
【００１６】
複数の組付壁は、前記フィン1の両側縁に成形され、一定の組付隙間31を残った状態で前記係合具2に隣接する。
【００１７】
次に、図4と図5を参照する。本考案の組付方法は、図4に示すように、機械によって複数の組付壁3を組付方向へ90度に湾折して、図5に示すように、湾折された複数の組付壁3を有する二つのフィン1を組付方向に沿って重ねて、前記係合具2の組付ネック21を機械によって組付方向へ湾折したと、隣接する二つのフィン1の後方に位置するフィン1の係合部22が前方に位置するフィン1の組付ネック21に係合し、この方法により複数のフィン1を連続に組付けたと組合式ラジエータが構成され、そうすると、予めに成形されたフィン1は流れ生産ラインで一気に組付けることができる。
【００１８】
また、図6と図7を参照する。図6と図7に示すのは本考案の実施例に係る係合具2の別の態様である。図6と図7に示すように、係合具2は、複数あり、フィン1の両側に位置し、一つの係合部22を含む。前記係合部22は、組付壁3と組付隙間31の隣接する側辺に成形され、前記組付隙間31に伸び、その尾端が組付方向にやや湾折された。
【００１９】
上記構成の組付方法は、隣接する二つのフィン1の組付壁3を機械によって組付方向へ90度に湾折し、且つ後の放熱フィンの係合部22が組付壁3と一緒に湾折されて、前の放熱フィンの組付隙間31に係合し、この方法により複数のフィン1を連続に組付けたと組合式ラジエータが構成され、そうすると、予めに成形されたフィン1は流れ生産ラインで一気に組付けることができる。
【００２０】
また、図8乃至図10を参照する。図8乃至図10に示すのは本考案の実施例に係る係合具2の更に別の態様である。図8乃至図10に示すように、係合具2は、複数あり、フィン1の両側に成形され、一つの組付穴24と一つの係りブロック25とをそれぞれ含み、前記組付穴24は、係合具2の中央に開設され、ややY字形を呈し、なお、前記係りブロック25は放熱フィンの組付方向に突出した。
【００２１】
上記構成の組付方法は、図10に示すフィン1を成形した後、フィン1の係合具2を機械によって組付方向へ90度に湾折して、隣接する二つのフィン1を組付方向に沿って重ねることにより、後ろのフィン1の係りブロック25が前のフィン1の組付穴24に挿入して前記組付穴24からフィン1のエッジに係合し、この方法により複数のフィン1を連続に組付けたと組合式ラジエータが構成され、そうすると、予めに成形されたフィン1は流れ生産ラインで一気に組付けることができる。
【図面の簡単な説明】
【００２２】
【図１】従来のアルミ挿出しラジエータの概略図である。
【図２】従来のアルミ湾折ラジエータの概略図である。
【図３】本考案の放熱フィン接合構造の実施例の斜視図である。
【図４】本考案の放熱フィン接合構造の実施例の組付け直前の概略図である。
【図５】本考案の放熱フィン接合構造の実施例を放熱フィンに組付けられた状態を示す概略図である。
【図６】本考案の放熱フィン接合構造の実施例の係合具の別の態様を示す概略図である。
【図７】本考案の放熱フィン接合構造の実施例の係合具の別の態様を放熱フィンに組付けられた状態を示す概略図である。
【図８】本考案の放熱フィン接合構造の実施例の係合具の更に別の態様を示す概略図である。
【図９】本考案の放熱フィン接合構造の実施例の係合具の更に別の態様の組付けを示す概略図である。
【図１０】本考案の放熱フィン接合構造の実施例の係合具の更に別の態様を放熱フィンに組付けられた状態を示す概略図である。
【符号の説明】
【００２３】
1  フィン                  31  組付隙間
2  係合具                  42  組付隙間
21  組付ネック              5  係合具
22  係合部                  51  組付穴
23  挟止凹部                52  係りブロック
3  組付壁
【図１】
0003123962.tif 000003
【図２】
0003123962.tif 000004
【図３】
0003123962.tif 000005
【図４】
0003123962.tif 000006
【図５】
0003123962.tif 000007
【図６】
0003123962.tif 000008
【図７】
0003123962.tif 000009
【図８】
0003123962.tif 000010
【図９】
0003123962.tif 000011
【図１０】
0003123962.tif 000012
【手続補正書】
【提出日】平成18年5月24日(2006.5.24)
【手続補正１】
【補正対象書類名】実用新案登録請求の範囲
【補正対象項目名】請求項２
【補正方法】変更
【補正の内容】
【請求項２】
複数の係合具のうちの一つは前記フィンの一側縁に成形され、残った二つの係合具は前記
フィンの前記側縁の反対側に成形されることを特徴とする、請求項１にて記載の放熱フィン
接合構造。
【手続補正書】
【提出日】平成18年6月21日(2006.6.21)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
一つのフィンと、複数の係合具と、複数の組付壁とを含む放熱フィン接合構造において、
前記係合具は、前記フィンの両側縁に成形され、
前記組付壁は、前記フィンの両側縁に成形され、一定の隙間を残った状態で前記係合具に
隣接することを特徴とする、放熱フィン接合構造。
【請求項２】
複数の係合具のうちの一つは前記フィンの一側縁に成形され、残った二つの係合具は前記
フィンの前記側縁の反対側に成形されることを特徴とする、請求項１にて記載の放熱フィン
接合構造。
【請求項３】
前記係合具は、更に、前記フィンの側縁に成形された組付ネックと、前記組付ネックに対
称に成形され、両端が前記フィンの組付方向にやや湾接された二つの係合部と、前記二つ
の係合部の間に成形された挟止凹部とを含むことを特徴とする、請求項2に記載の放熱フ
ィン接合構造。
【請求項４】
係合具は、複数あり、フィンの両側に位置し、一つの係合部を含み、前記係合部は、組付
壁と組付隙間の隣接する側辺に成形され、前記組付隙間に伸び、その尾端が組付方向にや
や湾折されたことを特徴とする、請求項1に記載の放熱フィン接合構造。
【請求項５】
係合具は、複数あり、一つの組付穴と一つの係りブロックとをそれぞれ含み、前記組付穴
は、係合具の中央に開設され、ややY字形を呈し、なお、前記係りブロックは放熟フィン
の組付方向に突出したことを特徴とする、請求項1に記載の放熱フィン接合構造。